(57)【要約】【課題】焼結磁石を用いることなく、また、中敷きＳを厚くすることもなく、足裏の全体に効果的に磁力を作用できるようにする。【解決手段】中敷きＳを、マグネットシートからなる二枚の中敷き材Ｓａ、Ｓａを接着貼り合わせてなり、二枚の中敷き材Ｓａ、Ｓａはそれぞれ、Ｎ極とＳ極とを交互に縞状に配するように少なくともその一面に多極着磁されてなると共に、一方の中敷き材Ｓａの前記縞の向きＦ１に対し他方の中敷き材Ｓａの前記縞の向きＦ２が交叉するようになっているものとした。【選択図】図２
2009183466.tif 000002
【特許請求の範囲】
【請求項１】
マグネットシートからなる二枚の中敷き材を接着貼り合わせてなり、
二枚の中敷き材はそれぞれ、Ｎ極とＳ極とを交互に縞状に配するように少なくともその一面に多極着磁されてなると共に、
一方の中敷き材の前記縞の向きに対し他方の中敷き材の前記縞の向きが交叉するようになっていることを特徴とする中敷き。
【発明の詳細な説明】
【技術分野】
【０００１】
この発明は、靴内に敷き込まれて使用者の足裏に磁気を効果的に作用させる中敷きに関する。
【背景技術】
【０００２】
靴の中敷き（インソール）に、足のつぼが位置される箇所に合わせて、焼結磁石を埋め込ませるなどして、使用者の足裏に磁気を作用させるようにしたものが知られている。（例えば、特許文献１参照）
【０００３】
このような中敷きにあっては、それが薄い場合には備えられた磁石が突起物として足裏に当たるところであり、それを避けようとすると中敷き自体を厚く構成させることを余儀なくさせるものであった。また、かかる中敷きでは、靴のサイズに合わせて中敷きをカッティングなどすると特定のつぼに相応しない位置に焼結磁石を位置させてしまう場合もあり、一枚の中敷きでサイズの異なる靴に利用しがたい場合も少なくない。また、このような手法では、足裏の全体に効果的に磁気を作用させるような中敷きは構成しがたいところである。
【特許文献１】特開２００７−６１２３５号公報
【発明の開示】
【発明が解決しようとする課題】
【０００４】
この発明が解決しようとする主たる問題点は、この種の中敷きにおいて、焼結磁石を用いることなく、また、中敷きを厚くすることもなく、足裏の全体に効果的に磁力を作用できるようにする点にある。
【課題を解決するための手段】
【０００５】
前記課題を達成するために、この発明にあっては、中敷きを、マグネットシートからなる二枚の中敷き材を接着貼り合わせてなり、
二枚の中敷き材はそれぞれ、Ｎ極とＳ極とを交互に縞状に配するように少なくともその一面に多極着磁されてなると共に、
一方の中敷き材の前記縞の向きに対し他方の中敷き材の前記縞の向きが交叉するようになっているものとした。
【０００６】
かかる中敷きにあっては、接着張り合わされる二枚の中敷き材の前記多極着磁による前記縞の交叉により、中敷き上に磁束密度の密な箇所と疎な箇所を形成させることができ、磁束密度の密な箇所によって使用者の足裏の深い箇所まで磁力を作用させることができる。中敷きは薄く、かつ、平坦に構成させることができ、また、靴のサイズに合わせたカッティングを任意に施すこともできる。
【発明の効果】
【０００７】
この発明にかかる中敷きは、薄く、平坦に構成でき、通常の中敷きと形態を異ならせることがないにもかかわらず、足裏の全体に効果的に磁力を作用させることができるものである。
【発明を実施するための最良の形態】
【０００８】
以下、図１〜図６に基づいて、この発明を実施するための最良の形態について説明する。
【０００９】
なお、ここで図１はこの発明を適用して構成された中敷きＳの一例をその表面側から見て、図２はこれを構成する二枚の中敷き材Ｓａ、Ｓａを分離させた状態として、図３は分離させた中敷き材Ｓａの要部を拡大して、図４は中敷きＳの要部を拡大して、それぞれ示している。図５および図６は中敷きＳをマグネットビュワーで観察したときに視認できる模様を表している。
【００１０】
この実施の形態にかかる中敷きＳ、すなわちインソールは、使用者の足裏に効果的に磁気を作用させ得るものである。
【００１１】
かかる中敷きＳは、マグネットシートからなる二枚の中敷き材Ｓａ、Ｓａを接着貼り合わせてなる。マグネットシートとしては、典型的にはゴム磁石を用いることができる。二枚の中敷き材Ｓａ、Ｓａはそれぞれ、靴内に敷き込める形に成形されている。図示の例では、この二枚の中敷き材Ｓａ、Ｓａの一方のつま先側１に、中敷き材Ｓａのかかと側２を湾曲内側とする複数のカッティング用線分３が中敷き材Ｓａの長さ方向において隣り合うカッティング用線分３との間に間隔を開けて印刷などにより記されていると共に、各カッティング用線分３の頂部の内方にサイズ表示４が記されており、敷き込む靴のサイズに合ったカッティング用線分３に沿って中敷きＳのつま先側１を切断することで中敷きＳの大きさを敷き込むべき靴に合わせることができるようになっている。
【００１２】
また、前記二枚の中敷き材Ｓａ、Ｓａはそれぞれ、Ｎ極とＳ極とを交互に縞状に配するように少なくともその一面に多極着磁されてなる。図示の例では、二枚の中敷きＳの一面にそれぞれ片面多極着磁を施している。典型的には、中敷き材Ｓａは厚さ１ｍｍ未満のものとされ、また、Ｎ極とＳ極との間のピッチは４ｍｍ程度とされる。
【００１３】
そして、この実施の形態にあっては、一方の中敷き材Ｓａの前記縞の向きＦ１に対し他方の中敷き材Ｓａの前記縞の向きＦ２を交叉させるようにして、二枚の中敷き材Ｓａ、Ｓａを接着貼り合わせて中敷きＳを構成させている。（図２）
【００１４】
図示の例では、一方の中敷き材Ｓａは、その長さ方向に沿ったＮ極に着磁された不可視の帯状領域５と、Ｓ極に着磁された不可視の帯状領域６とを、その幅方向において交互に配するように構成されている。また、他方の中敷き材Ｓａは、その幅方向に沿ったＮ極に着磁された不可視の帯状領域５と、Ｓ極に着磁された不可視の帯状領域６とを、その長さ方向において交互に配するように構成されている。（図３）図示の例では、このように構成される二枚の中敷き材Ｓａ、Ｓａを接着貼り合わせることで、一方の中敷き材Ｓａの帯状領域５、６と他方の中敷き材Ｓａの帯状領域５、６とが略直交するようになっているが、二枚の中敷き材Ｓａ、Ｓａはかかる帯状領域５、６を交叉させるように接着貼り合わされれば足り、中敷き材Ｓａに形成される帯状領域５、６の形成方向、二枚の中敷き材Ｓａ、Ｓａの帯状領域５、６の交叉の角度は必要に応じて適宜変更される。
【００１５】
この実施の形態にかかる中敷きＳにあっては、接着張り合わされる二枚の中敷き材Ｓａ、Ｓａの前記多極着磁による前記縞の交叉により、中敷きＳ上に磁束密度の密な箇所と疎な箇所を形成させることができ、磁束密度の密な箇所によって使用者の足裏の深い箇所まで磁力を作用させることができる。中敷きＳは薄く、かつ、平坦に構成させることができ、靴のサイズに合わせたカッティングを任意に施すこともできる。
【００１６】
片面多極着磁を施した二枚の中敷き材Ｓａ、Ｓａを、その着磁側の表面同士で前記のように貼り合わせてマグネットビュワーで観察すると格子の形が視認でき、格子の目の箇所に磁束密度が密な箇所が形成されていることが認められた。（図５）
【００１７】
片面多極着磁を施した二枚の中敷き材Ｓａ、Ｓａの一方の表面に他方の裏面を前記のように貼り合わせてマグネットビュワーで観察すると格子が崩れて隣り合う波形の線と交わらない複数の波形の線形が視認でき、隣り合う波形の線間に磁束密度が密な箇所が形成されていることが認められた。（図６）
【図面の簡単な説明】
【００１８】
【図１】中敷きＳの平面図
【図２】同分離斜視図
【図３】同要部拡大構成図（中敷き材Ｓａ分離状態）
【図４】同要部拡大構成図（中敷き材Ｓａ貼り合わせ状態）
【図５】マグネットビュワーによって観察される模様を示した構成図
【図６】マグネットビュワーによって観察される模様を示した構成図
【符号の説明】
【００１９】
Ｓ  中敷き
Ｓａ  中敷き材
Ｆ１  縞の向き
Ｆ２  縞の向き
【図１】
2009183466.tif 000003
【図２】
2009183466.tif 000004
【図３】
2009183466.tif 000005
【図４】
2009183466.tif 000006
【図５】
2009183466.tif 000007
【図６】
2009183466.tif 000008